(57)【要約】【課題】浴槽内に設置された昇降部材の液体を用いて、利用者の身体の保温性を確保した浴槽内昇降装置を提供すること。【解決手段】浴槽内昇降装置１は、浴槽Ｂａ内に設置され、内部の液体により昇降する昇降部材２と、液体を昇降部材２に供給する液体供給部３と、昇降部材２から内部の液体を排出する排出路４と、が設けられ、排出路４にはシャワーヘッド８が設けられている。【選択図】図３
2019188033.tif 000002
【特許請求の範囲】
【請求項１】
浴槽内に設置され、内部の液体により昇降する昇降部材と、
液体を昇降部材に供給する液体供給部と、
前記昇降部材から内部の液体を排出する排出路と、
が設けられ、
前記排出路にはシャワーヘッドが設けられている浴槽内昇降装置。
【請求項２】
前記排出路は、前記排出路を通って排出する液体の流路を、前記シャワーヘッドが取り付けられた第一流路と、先端に単一の開口を有する第二流路とで切り替え可能な請求項１に記載の浴槽内昇降装置。
【発明の詳細な説明】
【技術分野】
【０００１】
本発明は、浴槽内昇降装置に関する。
【背景技術】
【０００２】
内部の液体によって昇降する昇降装置としては、入浴支援装置のように浴槽内に昇降装置が設置されて昇降される装置がある（例えば特許文献１）。
【先行技術文献】
【特許文献】
【０００３】
【特許文献１】特開２０１６−１１２４１５号公報
【発明の概要】
【発明が解決しようとする課題】
【０００４】
しかし、この装置は、水圧で駆動し、また肢体が不自由な者の介助等の目的で用いられるためにゆっくりと駆動するので、浴槽から出ている身体の保温性を確保するためには浴室の温度を高くしなければならず、エネルギーを多く使用することとなる。
【０００５】
本発明は、浴槽内に設置された昇降部材の液体を用いて、利用者の身体の保温性を確保した浴槽内昇降装置を提供することである。
【課題を解決するための手段】
【０００６】
本発明の浴槽内昇降装置は、浴槽内に設置され、内部の液体により昇降する昇降部材と、液体を昇降部材に供給する液体供給部と、前記昇降部材から内部の液体を排出する排出路と、が設けられ、前記排出路にはシャワーヘッドが設けられている。
【発明の効果】
【０００７】
本発明によれば、浴槽内に設置された昇降部材の液体を用いて、利用者の身体の保温性を確保することができる。
【図面の簡単な説明】
【０００８】
【図１】本発明の第１実施形態の浴槽内昇降装置において、昇降部材が降下した状態を示す概略図である。
【図２】図１の浴槽内昇降装置において、昇降部材が上昇した状態を示す概略図である。
【図３】図１の浴槽内昇降装置の流路を示す模式図である。
【図４】図１の浴槽内昇降装置において、昇降部材の降下時にシャワーヘッドから液体が排出されている状態を示す模式図である。
【図５】本発明の第２実施形態の浴槽内昇降装置を示す模式図である。
【図６】図５の浴槽内昇降装置の変形例を示す模式図である。
【発明を実施するための形態】
【０００９】
以下、図面を参照し、本発明の一実施形態の浴槽内昇降装置を説明する。なお、以下に示す実施形態はあくまで一例であり、本発明の浴槽内昇降装置は、以下の実施形態に限定されるものではない。
【００１０】
＜第１実施形態＞
図１および図２に示されるように、本実施形態の浴槽内昇降装置（以下、単に昇降装置という）１は、浴槽Ｂａ内に設置され、内部の液体により昇降する昇降部材２と、液体を昇降部材２に供給する液体供給部３と、昇降部材２から内部の液体を排出する排出路４とを備えている。また、本実施形態では、昇降装置１は、液体供給部３から昇降部材２に向かって液体を供給する供給路５と、昇降装置１における流路の開放操作および閉鎖操作が可能な操作部６と、操作部６と昇降部材２との間を繋ぐ供給排出路７とを備えている。
【００１１】
昇降装置１は、浴槽Ｂａ内に設置され、入浴者等の利用者（以下、入浴者という）を昇降させる装置である。昇降装置１は、液体を昇降部材２に供給することにより昇降部材２を上昇させ、液体を昇降部材２から排出することにより昇降部材２を降下させる。
【００１２】
本実施形態では、昇降装置１は、浴槽Ｂａの上縁Ｅに取り付けられる取り付け部Ａを有し、浴槽Ｂａ内に設置される。取り付け部Ａは、昇降装置１を浴槽Ｂａに取り付けることができれば、その構造は特に限定されない。本実施形態では、取り付け部Ａは、浴槽Ｂａの上縁Ｅを跨いで、浴槽Ｂａの内面と外面とを挟み込むようにして浴槽Ｂａに取り付けられる。
【００１３】
液体供給部３は、昇降部材２を上昇させる際に昇降部材２に液体を供給する。液体供給部３は、昇降部材２に液体を供給することができれば、その構造は特に限定されない。たとえば、液体供給部３は、図１および図２に示されるように、浴室に設けられた水栓であってもよいし、液体を供給するポンプ等であってもよい。なお、液体供給部３から供給される液体は、湯、水であることが好ましい。液体供給部３は、浴槽Ｂa内の温度と同等の温度を供給することができる温水供給機能を有することが好ましいが、浴槽Ｂａ内で温められてもよい。
【００１４】
液体供給部３は、供給路５を介して昇降部材２に液体を供給する。本実施形態では、液体供給部３は、供給路５、操作部６および供給排出路７を介して昇降部材２に接続されている。これにより、液体供給部３から供給される液体は、供給路５、操作部６および供給排出路７を通って昇降部材２に供給される。なお、昇降部材２に供給された液体は、供給排出路７、操作部６および排出路４を通って、後述するシャワーヘッド８から排出される。本実施形態では、供給排出路７が液体を昇降部材２に供給する際と、液体を昇降部材２から排出する際とで共通の流路として設けられている。しかし、昇降装置１は、供給排出路７を設けることなく、供給路５および排出路４をそれぞれ別々に昇降部材２に接続することにより、昇降部材２に液体を供給し、昇降部材２から液体を排出するように構成されていてもよい。
【００１５】
供給路５は、液体供給部３から昇降部材２に向かって液体を供給する流路である。本実施形態では、供給路５の一端が液体供給部３に着脱可能に接続され、他端が操作部６に着脱可能に接続されている。なお、供給路５は、操作部６に接続される必要はなく、一端が液体供給部３に接続され、他端が昇降部材２に直接接続されていてもよい。供給路５は、たとえば、ホース、パイプ、チューブ等の管状部材により構成される。供給路５は、液体供給部３から昇降部材２に向かって液体を供給する流路を有していれば、その形状、長さ、経路等は特に限定されない。
【００１６】
排出路４は、昇降部材２に流入した液体を排出する流路である。本実施形態では、排出路４の一端がシャワーヘッド８に接続され、他端が操作部６に接続されている。排出路４は、たとえば、ホース、パイプ、チューブ等の管状部材により構成される。排出路４は、昇降部材２から液体を排出する流路を有していれば、その形状、長さ、経路等は特に限定されない。排出路４は、液体供給部３から昇降部材２に供給された液体を排出する。
【００１７】
供給排出路７は、液体供給部３から昇降部材２に向かって液体を供給する流路であるとともに、昇降部材２に流入した液体を排出する流路である。本実施形態では、供給排出路７の一端が操作部６に着脱可能に接続され、他端が昇降部材２に着脱可能に接続されている。供給排出路７は、たとえば、ホース、パイプ、チューブ等の管状部材により構成される。供給排出路７は、昇降部材２に向かって液体を供給し、昇降部材２から液体を排出する流路を有していれば、その形状、長さ、経路等は特に限定されない。供給排出路７は、供給排出路７が供給路として機能する場合と排出路として機能する場合とに切り替えられる弁Ｖが一端側において接続している。供給排出路７が供給路５と排出路４と交わる地点よりも液体供給部３側に弁Ｖが設けられている。また、弁Ｖと第１の弁６１と第２の弁６２とについては、供給排出路７と供給路５と排出路４との交点に三方コックに代表される切替弁を替えて、それぞれ流路と切り替えてもよい。
【００１８】
操作部６は、昇降装置１における流路を開放および閉鎖する操作を行う部位である。本実施形態では、操作部６は、昇降部材２に向かって液体を供給する際には、供給路５から昇降部材２（または供給排出路７）へ液体が流れるように流路を開放する。なお、昇降部材２に向かって液体を供給する際には、操作部６は排出路４へ液体が流れないように排出路４へ向かう流路を閉鎖する。また、操作部６は、昇降部材２から液体を排出する際には、昇降部材２（または供給排出路７）から排出路４へ液体が流れるように流路を開放する。本実施形態では、操作部６は、図３に示されるように、昇降部材２から液体を排出する際に操作部６から供給路５へ向かって液体が流れないように弁Ｖを有している。弁Ｖは、たとえば逆止弁とすることができるが、液体供給部３から昇降部材２に向かって液体を流すことができれば、弁Ｖは仕切弁など、逆止弁以外の弁であってもよいし、弁Ｖが設けられていなくてもよい。
【００１９】
操作部６は、昇降装置１における流路を開放および閉鎖するために操作される。操作部６は、昇降部材２へ液体を供給することができ、昇降部材２から液体を排出することができるように操作可能であれば、その構造は特に限定されない。本実施形態では、図３および図４に示されるように、昇降装置１は、昇降部材２へ液体を供給する流路（供給排出路７）を開放および閉鎖可能な第１の弁６１と、昇降部材２から液体を排出する流路（排出路４）を開放および閉鎖可能な第２の弁６２とを有している。第１の弁６１および第２の弁６２は、たとえば仕切弁など、公知の弁を用いることができる。第１の弁６１および第２の弁６２は、それぞれ図示しない、ハンドルやレバー、つまみなどの操作部材によって操作される。また、操作部６において、液体の流路は、供給路５から供給排出路７へ向かう第１分岐路６３ａと、供給路５から排出路４へ向かう第２分岐路６３ｂとに分岐されている。
【００２０】
操作部６は図示する構造に限定されない。たとえば、供給排出路７および排出路４のそれぞれの途中に操作部をそれぞれ設けてもよい。また、供給排出路７を設けずに、供給路５および排出路４のそれぞれを昇降部材２に接続する場合、供給路５および排出路４のそれぞれに操作部をそれぞれ設けてもよい。操作部６は、操作部として昇降装置１に設ける必要はなく、操作部６を構成する各構成が昇降装置１にそれぞれ設けられてもよい。
【００２１】
昇降部材２は、図１および図２に示されるように、液体供給部３から供給された液体を流入排出することにより上下方向に昇降する。これにより、昇降部材２が上昇した上昇位置（図２参照）にあるときに入浴者を昇降部材２に乗せることができ、昇降部材２が降下した降下位置（図１参照）にあるときに入浴者は浴槽Ｂａ内のお湯に浸かることができる。入浴者の入浴が完了すると、昇降部材２が降下位置から昇降部材２を上昇位置に移動させ、入浴者は昇降部材２から浴槽Ｂａ外へと離れることができる。なお、昇降部材２の上下方向の昇降動作は、昇降部材２が昇降移動できれば、鉛直方向に対して傾斜して行われてもよい。
【００２２】
昇降部材２は、図１〜図３に示されるように、内部に液体を充填可能な充填部Ｆを有し、充填部Ｆ内への液体の流入および充填部Ｆからの液体の排出により上下方向に伸縮する駆動部２１と、駆動部２１の上部に設けられ、入浴者が着座可能な昇降本体２２とを備えている。
【００２３】
駆動部２１は、昇降本体２２を上下方向に昇降させて、昇降本体２２に着座した入浴者を昇降させる。駆動部２１には供給路５および排出路４が直接または間接的に接続される。本実施形態では、図１〜図３に示されるように、駆動部２１には供給排出路７が接続され、供給路５から供給された液体により充填部Ｆが充填され、充填部Ｆに充填された液体は、排出路４から排出される。
【００２４】
駆動部２１は、充填部Ｆに液体が供給されることにより伸長状態となり（図２参照）、充填部Ｆから液体が排出されることにより収縮状態となる（図１参照）。これにより、駆動部２１が往復動作を行って、昇降本体２２を昇降させる。
【００２５】
本実施形態では、駆動部２１は、略筒状体であり、図１および図２に示されるように、駆動部２１の軸Ｘ（図２参照）方向に伸縮可能な、山部と谷部とを交互に有する蛇腹部２１ａを有している。駆動部２１は、蛇腹部２１ａの軸Ｘ方向の一端側（下端側）に、一端側閉鎖部２１ｂと、蛇腹部２１ａの軸Ｘ方向の他端側（上端側）に、他端側閉鎖部２１ｃとを有している。蛇腹部２１ａの両端は、一端側閉鎖部２１ｂおよび他端側閉鎖部２１ｃにより閉鎖され、駆動部２１の内部空間である充填部Ｆが画定される。
【００２６】
本実施形態では、図１および図２に示されるように、充填部Ｆへの液体の充填および排出により、蛇腹部２１ａが伸縮し、駆動部２１の軸Ｘ方向の長さが変動し、昇降本体２２を昇降移動させる。なお、駆動部２１は蛇腹部２１ａを有するものに限定されず、液体を吸排出可能な液体収容室を有すればよい。駆動部２１の形状および構造は、液体の流入排出により、昇降本体２２を昇降移動させるように寸法変化が生じるものであればよい。また、駆動部２１の材料は、昇降本体２２の昇降移動に支障のないものであれば特に限定されない。たとえば、駆動部２１（蛇腹部２１ａ）は、ゴムや弾性を有する合成樹脂などの弾性材料により構成することができる。駆動部２１は、駆動部２１内の液体と浴槽Ｂａ内の液体との間で温度を伝達できる材料により構成することもできる。
【００２７】
本実施形態では、昇降装置１は、図１および図２に示されるように、昇降部材２の昇降方向に延びる案内部材Ｇを有し、昇降部材２は案内部材Ｇに沿って案内される。案内部材Ｇは、本実施形態では、昇降部材２の昇降方向に沿って延びるロッド状部材であるが、昇降部材２を昇降方向に案内することができれば、案内部材Ｇの形状は特に限定されない。たとえば、案内部材Ｇは、昇降部材２を案内可能な溝や突条を有する板状部材やレール状の部材などであってもよい。案内部材Ｇの材料は特に限定されないが、案内部材Ｇは、昇降部材２や昇降部材２に加わる荷重を支持するために所定の剛性を有していることが好ましい。
【００２８】
昇降本体２２は、駆動部２１の往復動作により昇降する部材であり、入浴者が着座する座部である。本実施形態では、昇降本体２２は駆動部２１の上端側に設けられている。昇降本体２２は、入浴者が容易に姿勢を変更できるように、他端側閉鎖部２１ｃに対して回転するように構成されてもよい。昇降本体２２の形状および構造は特に限定されず、用途や荷重の大きさ等により適宜変更が可能である。
【００２９】
なお、昇降部材２は、駆動部２１および昇降本体２２以外に、入浴者が凭れかかる背凭れ（図示せず）や、昇降部材２の昇降時や入浴中に入浴者により把持される持ち手（図示せず）などを有していてもよい。
【００３０】
本実施形態の昇降装置１は、上述したように、昇降部材２に液体が供給されることにより昇降部材２が上昇し、昇降部材２に供給された液体が排出されることにより昇降部材２が降下する。本実施形態の昇降装置１において、この昇降部材２の降下時に液体が排出される排出路４には、図１〜図３に示されるように、シャワーヘッド８が設けられている。シャワーヘッド８は、排出路４から排出されるお湯等の液体を入浴者に向けて放出する。このように、排出路４にシャワーヘッド８が設けられていることにより、浴槽Ｂａ内に設置された昇降部材２に流入した液体を用いて、入浴者の身体の保温性を確保することができる。
【００３１】
具体的には、浴室内が充分に暖まっていない場合は、入浴者が浴室内に入ってから浴槽Ｂａ内のお湯の中に浸かるまで、入浴者の身体が冷えてしまう。本実施形態では、入浴者が浴槽Ｂａ内のお湯に浸かる前に、排出路４に設けられたシャワーヘッド８から、昇降部材２を上昇させるのに用いた昇降部材２に供給された液体を、昇降部材２の降下時に入浴者の身体に向けて放出することにより、入浴者の身体を温めることができる。また、供給路５に安全弁を設け、昇降部材２に過剰に供給された液体が排出されるように安全弁と排出路４とを接続し、降下前の状態でもシャワーヘッド８から液体（お湯）を排出するようにしてもよい。
【００３２】
また、昇降部材２は浴槽Ｂａのお湯の中に設置されているため、昇降部材２に流入した液体は浴槽Ｂａ内のお湯により温度の低下が抑えられ、暖かい状態でシャワーヘッド８から入浴者に液体をかけることができる。さらに、昇降部材２の上昇に用いられた液体は、無駄に排出されるのではなく、入浴者の身体の保温性の確保に利用されるので、経済的である。
【００３３】
なお、昇降部材２の降下中以外、たとえば昇降部材２が降下位置で停止しているときなどに、液体供給部３からの液体を、シャワーヘッド８から入浴者にかけても構わない。この場合、たとえば操作部６を操作して、液体供給部３からシャワーヘッド８までの流路を開放し、液体供給部３から液体を供給することによりシャワーヘッド８からお湯等の液体を放出することができる。本実施形態では、操作部６の第２の弁６２を開放し、第１の弁６１を閉鎖することにより、液体供給部３からシャワーヘッド８までの流路が連通し、供給路５、操作部６および排出路４を介して、液体がシャワーヘッド８から放出される。
【００３４】
シャワーヘッド８は、本実施形態では、排出路４の一端に着脱可能に接続されている。シャワーヘッド８は、公知のシャワーヘッドを用いることができ、形状や構造は特に限定されない。なお、本実施形態では、シャワーヘッド８から液体を放出する際に、供給路５と排出路４との間に設けられた操作部６を操作するように構成されているが、操作部６は図示する位置に設けられるものに限定されない。たとえば、シャワーヘッド８に、握持することにより液体の放出と遮断とを切り替える操作部（図示せず）を設けて、シャワーヘッド８に設けられた操作部の操作によって液体の放出と遮断を行うように構成してもよい。
【００３５】
以下、本実施形態の昇降装置１の動作の一例を説明する。なお、以下の例はあくまで一例であり、昇降装置１は以下の例に限定されるものではない。
【００３６】
まず、図１に示されるように、昇降装置１を浴槽Ｂａ内に設置する。昇降装置１が浴槽Ｂａ内に設置された後、入浴者を昇降装置１の昇降本体２２に乗せるために、昇降本体２２が上昇される。具体的には、まず、液体供給部３から昇降部材２までの流路、すなわち、供給路５、第１分岐路６３ａ、供給排出路７が連通するように、操作部６の第１の弁６１が開放され、第２の弁６２が閉鎖される。つぎに、液体供給部３から所定の温度のお湯を出し、液体供給部３からのお湯は、供給路５、第１分岐路６３ａ、供給排出路７を通って、昇降部材２の充填部Ｆに供給される。昇降部材２の充填部Ｆにお湯が供給されると、蛇腹部２１ａが伸長し昇降本体２２が上昇する（図２参照）。
【００３７】
昇降部材２が上昇すると、入浴者が昇降本体２２に乗せられて、昇降本体２２が降下される。具体的には、まず、昇降部材２の充填部Ｆからシャワーヘッド８までの流路、すなわち、供給排出路７、第１分岐路６３ａ、第２分岐路６３ｂ、排出路４が連通するように、操作部６の第２の弁６２が開放される。第１の弁６１および第２の弁６２が開放されると、昇降本体２２はゆっくりと降下し、入浴者が浴槽Ｂａ内のお湯に浸かることができる。この昇降本体２２の降下時に、図４に示されるように、入浴者の体重によって圧力がかかっている昇降部材２内のお湯は、供給排出路７、第１分岐路６３ａ、第２分岐路６３ｂ、排出路４を通って、シャワーヘッド８から排出される。このシャワーヘッド８から排出されるお湯を入浴者の体にかけることによって、入浴者は昇降部材２が降下している間に体が冷えることがなく、快適に入浴をすることができる。入浴者を温めるために用いられるお湯は、昇降部材２を上昇駆動するために用いられたお湯であり、入浴者を温めるために新たにお湯を使用することがないので、お湯の使用量を減らすことができ、経済的である。また、入浴者を昇降部材２に乗せるまで、および、入浴者が昇降部材２に乗ってから入浴者の身体が完全に浴槽Ｂａ内のお湯に浸かるまでに時間がかかる場合があるが、昇降装置１は浴槽Ｂａ内に配置されているため、充填部Ｆに流入したお湯が冷めにくく、シャワーヘッド８から排出されるお湯の温度が低下することが抑制される。
【００３８】
なお、昇降部材２が降下した状態で、入浴者にシャワーヘッド８からお湯をかけたい場合には、操作部６が操作され、第１の弁６１が閉鎖され、第２の弁６２が開放された状態とする。この状態で、液体供給部３からお湯を出すことによって、シャワーヘッド８を通常のシャワーと同様に使用することができる。
【００３９】
入浴者の入浴が完了すると、再度操作部６が操作されて、第１の弁６１が開放され、第２の弁６２が閉鎖された状態とし、液体供給部３から水またはお湯が供給される。これにより、液体供給部３からの水またはお湯は、供給路５、第１分岐路６３ａ、供給排出路７を通って、昇降部材２の充填部Ｆに供給され、蛇腹部２１ａが伸長し昇降本体２２が上昇する。昇降本体２２が上昇すると、入浴者を昇降本体２２から下ろし、入浴作業が完了する。
【００４０】
＜第２実施形態＞
つぎに、第２実施形態の昇降装置について説明する。第１実施形態の各構成において説明した点については、同様に第２実施形態の昇降装置にも適用することができる。以下の説明では、第１実施形態で説明した点については省略し、相違点を中心に説明する。
【００４１】
本実施形態では、排出路４は、図５に示されるように、排出路４を通って排出する液体の流路を、シャワーヘッド８が取り付けられた第一流路４１と、先端に単一の開口ＯＰを有する第二流路４２とで切り替え可能に構成されている。
【００４２】
第一流路４１は、昇降部材２に供給された液体を昇降部材２からシャワーヘッド８に向けて排出する流路である。第一流路４１は、第１実施形態で説明した排出路４と同様の構成とすることができる。第一流路４１にシャワーヘッド８が取り付けられることにより、第１実施形態と同様に、浴槽Ｂａ内に設置された昇降部材２に流入した液体がシャワーヘッド８から放出されて、入浴者の身体の保温性を確保することができる。
【００４３】
また、昇降部材２は浴槽Ｂａのお湯の中に設置されているため、昇降部材２に流入した液体は浴槽Ｂａ内のお湯により温度の低下が抑えられ、暖かい状態でシャワーヘッド８から入浴者に液体をかけることができる。さらに、昇降部材２の上昇に用いられた液体は、無駄に排出されるのではなく、入浴者の身体の保温性の確保に利用されるので、経済的である。
【００４４】
第二流路４２は、第一流路４１とは別に設けられた、昇降部材２に供給された液体を排出する流路である。第二流路４２は、第１実施形態で説明した排出路４と同様の構成とすることができる。第二流路４２は先端に単一の開口ＯＰ（図５参照）を有し、開口ＯＰから昇降部材２に供給された液体が排出される。第一流路４１および第二流路４２とは切り替え可能であり、第一流路４１に取り付けられたシャワーヘッド８から液体を排出するか、第二流路４２の開口ＯＰから液体を排出するかを選択することができる。本実施形態では、第二流路４２には第２の操作部６０が設けられ、第二流路４２の流路を開閉する。昇降部材２の上昇時には第二流路４２は閉鎖され、昇降部材２の降下時に第二流路４２を開放させて、開口ＯＰから液体を排出することができる。第２の操作部６０には、たとえば、操作部６と同様に、第二流路４２を開閉する弁を設けることができる。
【００４５】
また、図６に示されるように、本実施形態の昇降装置１は、第二流路４２の単一の開口ＯＰにシャワーユニット８０が設けられていてもよい。第一流路４１にシャワーヘッド８が取り付けられ、第二流路４２にシャワーユニット８０が取り付けられることにより、入浴者を２カ所から温めることができるので、より入浴者が快適に入浴することができる。
【００４６】
なお、シャワーユニット８０は、第一流路４１に設けられたシャワーヘッド８と同様の構成であってもよいし、異なる構成としてもよい。たとえば、第一流路４１に設けられたシャワーヘッド８は、入浴補助者が自由に動かせるように構成され、シャワーユニット８０は昇降部材２（たとえば背凭れなど）や浴室の壁面などに据付可能に構成されていてもよい。この場合、たとえば、シャワーヘッド８を自由に動かして入浴者に掛けたり、入浴者の身体の前部に液体を放出するようにし、シャワーユニット８０は昇降装置１の背凭れや浴室の壁面に据え付けられて入浴者の背中側に液体を放出することにより、入浴者の全身を温めることが可能となる。
【００４７】
また、第一流路４１および第二流路４２の両方を開放することにより、入浴者の身体をシャワーヘッド８およびシャワーユニット８０からの液体によって温めつつ、第一流路４１および第二流路４２の２つの流路から液体を排出することによって、昇降部材２の降下を早めることができる。したがって、入浴者の身体をより冷やすことなく、浴槽Ｂａ内のお湯に入浴者を迅速に浸からせることができる。
【００４８】
なお、本実施形態では、第二流路４２に第２の操作部６０が設けられているが、第２の操作部６０はシャワーユニット８０自体に設けられていてもよい。
【符号の説明】
【００４９】
１  浴槽内昇降装置
２  昇降部材
２１  駆動部
２１ａ  蛇腹部
２１ｂ  一端側閉鎖部
２１ｃ  他端側閉鎖部
２２  昇降本体
３  液体供給部
４  排出路
４１  第一流路
４２  第二流路
５  供給路
６  操作部
６０  第２の操作部
６１  第１の弁
６２  第２の弁
６３ａ  第１分岐路
６３ｂ  第２分岐路
７  供給排出路
８  シャワーヘッド
８０  シャワーユニット
Ａ  取り付け部
Ｂａ  浴槽
Ｅ  浴槽の上縁
Ｆ  充填部
Ｇ  案内部材
ＯＰ  開口
Ｖ  弁
Ｘ  駆動部の軸
【図１】
2019188033.tif 000003
【図２】
2019188033.tif 000004
【図３】
2019188033.tif 000005
【図４】
2019188033.tif 000006
【図５】
2019188033.tif 000007
【図６】
2019188033.tif 000008